(57)【特許請求の範囲】
【請求項１】
第１、第２及び第３の躯体の３つの躯体間に形成された平面視略Ｔ字状の目地部を塞ぐ床用目地装置であって、該床用目地装置は、前記第１の躯体に形成された目地プレートスライド支持部と、前記第２の躯体の前記第１の躯体側及び第３の躯体側に形成された目地プレート支持部と、該第２の躯体側の目地プレート支持部と対向するように前記第３の躯体に形成された目地プレートスライド支持部と、第３の躯体の前記第１の躯体側に形成された被乗り上げ目地プレート支持部と、前記第２の躯体の目地プレート支持部に、その一端部が支持されると共に、前記第１の躯体に形成された目地プレートスライド支持部及び／又は前記第３の躯体に形成された目地プレートスライド支持部に他端部がスライド移動可能に支持された少なくとも１つの角部目地プレートと、該角部目地プレートの側部の目地部を塞ぐように第２の躯体の目地プレート支持部に、その一端部が支持されると共に、前記第１の躯体に形成された目地プレートスライド支持部又は前記第３の躯体に形成された目地プレートスライド支持部に他端部がスライド移動可能に支持された少なくとも１つの側部目地プレートと、前記第３の躯体の前記第１の躯体側に形成された目地プレート支持部に、その一端部が支持されていると共に、前記第１の躯体に形成された目地プレートスライド支持部に他端部がスライド移動可能に支持された被乗り上げ目地プレートと、前記第１の躯体と第３の躯体間の目地部に設けられ、地震によって第２の躯体と第３の躯体間の目地部が広くなった際に前記角部目地プレートと被乗り上げ目地プレート間に生じる目地部の開口から脱落しないように塞ぐことができる脱落防止機構と、地震によって第２の躯体と第３の躯体間の目地部が広くなった際に前記角部目地プレートが被乗り上げ目地プレートに乗り上げられるように設けられた目地プレート乗り上げ機構とよりなることを特徴とする床用目地装置。
【請求項２】
前記脱落防止機構は、第１の躯体の第３の躯体に対向する部位又は第３の躯体の第１の躯体に対向する部位のいずれかに設けられたガイド筒と、この複数のガイド筒内にスライド移動可能に設けられ、常時第１の躯体の壁面又は第３の躯体の壁面のいずれかに当接するカバー体とよりなることを特徴とする請求項１に記載の床用目地装置。
【請求項３】
前記目地プレート乗り上げ機構は、前記被乗り上げ目地プレートの角部目地プレート側の側面又は前記角部目地プレートの被乗り上げ目地プレート側の側面のいずれかに形成された傾斜面よりなることを特徴とする請求項１又は請求項２のいずれかに記載の床用目地装置。
【発明の詳細な説明】
【技術分野】
【０００１】
本発明は略Ｔ字状の目地部を介して設けられた躯体の間の目地部を塞ぐ床用目地装置に関する。
【背景技術】
【０００２】
従来、躯体間の目地部を塞ぐ床用目地装置は種々知られているが、これらの床用目地装置は、独立した２つの躯体間の目地部を塞ぐことができるものであり、３つの独立した躯体間に形成された略Ｔ字状の目地部を、平常時は隙間なく塞ぐことができるとともに、地震による躯体の揺れ動いた際には、目地部が開口することなく、かつ、床用目地装置や躯体が破損しないように塞ぐことができる床用目地装置はなかった。  
【先行技術文献】
【特許文献】
【０００３】
【特許文献１】特になし
【発明の概要】
【発明が解決しようとする課題】
【０００４】
本発明は以上のような従来の欠点に鑑み、平常時は隙間なく目地部を塞ぐことができるとともに、３つの独立した躯体が地震によってどのような方向に躯体が揺れ動いても、略Ｔ字型の目地部が開口することなく、安全に通行できる床用目地装置を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明の床用目地装置は、第１、第２及び第３の躯体の３つの躯体間に形成された平面視略Ｔ字状の目地部を塞ぐ床用目地装置であって、該床用目地装置は、前記第１の躯体に形成された目地プレートスライド支持部と、前記第２の躯体の前記第１の躯体側及び第３の躯体側に形成された目地プレート支持部と、該第２の躯体側の目地プレート支持部と対向するように前記第３の躯体に形成された目地プレートスライド支持部と、第３の躯体の前記第１の躯体側に形成された被乗り上げ目地プレート支持部と、前記第２の躯体の目地プレート支持部に、その一端部が支持されると共に、前記第１の躯体に形成された目地プレートスライド支持部及び／又は前記第３の躯体に形成された目地プレートスライド支持部に他端部がスライド移動可能に支持された少なくとも１つの角部目地プレートと、該角部目地プレートの側部の目地部を塞ぐように第２の躯体の目地プレート支持部に、その一端部が支持されると共に、前記第１の躯体に形成された目地プレートスライド支持部又は前記第３の躯体に形成された目地プレートスライド支持部に他端部がスライド移動可能に支持された少なくとも１つの側部目地プレートと、前記第３の躯体の前記第１の躯体側に形成された目地プレート支持部に、その一端部が支持されていると共に、前記第１の躯体に形成された目地プレートスライド支持部に他端部がスライド移動可能に支持された被乗り上げ目地プレートと、前記第１の躯体と第３の躯体間の目地部に設けられ、地震によって第２の躯体と第３の躯体間の目地部が広くなった際に前記角部目地プレートと被乗り上げ目地プレート間に生じる目地部の開口から脱落しないように塞ぐことができる脱落防止機構と、地震によって第２の躯体と第３の躯体間の目地部が広くなった際に前記角部目地プレートが被乗り上げ目地プレートに乗り上げられるように設けられた目地プレート乗り上げ機構とよりなることを特徴とする。
【発明の効果】
【０００８】
以上の説明から明らかなように、本発明にあっては次に列挙する効果が得られる。
（１）請求項１に記載の発明においては、第１の躯体と第２の躯体間の目地部又は第１の躯体と第３の躯体間の目地部のいずれかが地震により広くなったり狭くなっても、角部目地プレート、側部目地プレート及び被乗り上げ目地プレートが第１の躯体に形成された目地プレートスライド支持部上をスライド移動し、その揺れ動きを吸収することができる。
（２）第２の躯体と第３の躯体間の目地部が地震により広くなっても、角部目地プレート及び側部目地プレートが目地プレートスライド支持部上をスライド移動し揺れ動きを吸収するとともに、角部目地プレートと被乗り上げ目地プレート間に生じた目地部の開口を脱落防止機構により塞ぐことができる。したがって、人や車両等がこの開口から脱落する事故を防止することもできる。
（３）第２の躯体と第３の躯体間の目地部が地震により狭くなっても、側部目地プレートが目地プレートスライド支持部上をスライド移動するとともに、角部目地プレートが被乗り上げ目地プレートに乗り上げて揺れ動きを吸収することができる。
（４）請求項２に記載の発明においても、前記（１）〜（３）と同様な効果が得られるとともに、地震によって第１の躯体と第３の躯体間の目地部及び第２の躯体と第３の躯体間の目地部が同時に離れる方向に揺れ動いた場合でも、目地部が開口を脱落防止機構により塞ぐことができる。
（５）請求項３に記載の発明においても、前記（１）〜（４）と同様な効果が得られる。
【図面の簡単な説明】
【０００９】
【図１】本発明を実施するための第１の形態の床用目地装置の平面図。
【図２】図１の２−２線に沿う断面図。
【図３】図１の３−３線に沿う断面図。
【図４】図１の４−４線に沿う断面図。
【図５】図１の５−５線に沿う断面図。
【図６】本発明を実施するための第１の形態の躯体の説明図。
【図７】本発明を実施するための第１の形態の角部目地プレートの説明図。
【図８】本発明を実施するための第１の形態の側部目地プレートの説明図。
【図９】本発明を実施するための第１の形態の被乗り上げ目地プレートの説明図。
【図１０】本発明を実施するための第１の形態の脱落防止機構の説明図。
【図１１】本発明を実施するための第１の形態の地震で第１の躯体と第２の躯体間の目地部及び第１の躯体と第３の躯体間の目地部が狭くなった動作説明図。
【図１２】図１１の１２−１２線に沿う断面図。
【図１３】本発明を実施するための第１の形態の地震で第２の躯体と第３の躯体間の目地部が狭くなった動作説明図。
【図１４】図１３の１４−１４線に沿う断面図。
【図１５】本発明を実施するための第１の形態の地震で第１の躯体と第２の躯体間の目地部及び第１の躯体と第３の躯体間の目地部が広くなった動作説明図。
【図１６】図１５の１６−１６線に沿う断面図。
【図１７】本発明を実施するための第１の形態の地震で第２の躯体と第３の躯体間の目地部が広くなった動作説明図。
【図１８】図１７の１８−１８線に沿う断面図。
【図１９】本発明を実施するための第２の形態の床用目地装置の平面図。
【図２０】図１９の２０−２０線に沿う断面図。
【図２１】図１９の２１−２１線に沿う断面図。
【図２２】本発明を実施するための第２の形態の躯体の説明図。
【図２３】本発明を実施するための第２の形態の脱落防止機構の説明図。
【発明を実施するための形態】
【００１０】
以下、図面に示す本発明を実施するための形態により、本発明を詳細に説明する。
【００１１】
図１乃至図１８に示す本発明を実施するための第１の形態において、１は第１の躯体２、第２の躯体３及び第３の躯体４間に形成された平面視略Ｔ字状の目地部５を塞ぐ床用目地装置で、この床用目地装置１は、前記第１の躯体２に左右方向に形成された目地プレートスライド支持部６と、前記第２の躯体３の前記第１の躯体２側及び第３の躯体側４に略逆Ｌ字状に連続的に形成された目地プレート支持部７と、前記第２の躯体３側の目地プレート支持部７と対向するように前記第３の躯体４に形成された目地プレートスライド支持部８と、第３の躯体４の前記第１の躯体２側に形成された被乗り上げ目地プレート支持部９と、前記第２の躯体３の目地プレート支持部７に一端部が支持され、前記第１の躯体２に形成された目地プレートスライド支持部６又は前記第３の躯体４に形成された目地プレートスライド支持部８に他端部がスライド移動可能に支持された少なくとも１つ、本実施の形態においては、台形状の２つの角部目地プレート１０と、該角部目地プレート１０の側面にそれぞれ当接し、角部目地プレート１０の側部の目地部５を塞ぐように第２の躯体３の目地プレート支持部７に一端部が支持され、前記第１の躯体２に形成された目地プレートスライド支持部６又は前記第３の躯体に形成された目地プレートスライド支持部８に他端部がスライド移動可能に支持された側部目地プレート１１と、前記第３の躯体４の前記第１の躯体２側に形成された被乗り上げ目地プレート支持部９に一端部が支持され、前記第１の躯体２に形成された目地プレートスライド支持部６に他端部がスライド移動可能に支持された被乗り上げ目地プレート１２と、前記第１の躯体２と第３の躯体４間の目地部５に設けられ、地震によって第２の躯体３と第３の躯体４間の目地部５が広くなった際に前記角部目地プレート１０と被乗り上げ目地プレート１２間に生じる目地部の開口を塞ぐ脱落防止機構１３と、地震によって第２の躯体３と第３の躯体４間の目地部５が広くなった際に前記角部目地プレート１０が被乗り上げ目地プレート１２に乗り上げられるように設けられた目地プレート乗り上げ機構１４とで構成されている。
【００１２】
なお、本発明において躯体とは、建物、道路、スラブ、橋梁等の建造物をいう。
【００１３】
前記目地プレートスライド支持部６及び目地プレートスライド支持部８の反目地部側の端部は、地震により目地部５が狭くなった際に、角部目地プレート１０等が躯体に乗り上げることができるように、傾斜面１５に形成されている。
【００１４】
前記目地プレート支持部７及び被乗り上げ目地プレート支持部９には、角部目地プレート１０、側部目地プレート１１又は被乗り上げ目地プレート１２を枢支するための枢支ピン１６が固定されている。
【００１５】
前記角部目地プレート１０は、本実施の形態においては平面視直角台形状に形成されており、上底及び下底と直行しない辺（以下、斜辺という）１０ａは略４５度に形成されている。一端部が第２の躯体３の目地プレート支持部７に支持され、他端部が第１の躯体２に形成された目地プレートスライド支持部６に支持された角部目地プレート１０及び一端部が第２の躯体３の目地プレート支持部７に支持され、他端部が第３の躯体４に形成された目地プレートスライド支持部８に支持された角部目地プレート１０の２枚の角部目地プレート１０の斜辺１０ａ同士を当接させ、角部を塞いでいる。
【００１６】
なお、一端部が第２の躯体３の目地プレート支持部７に支持され、他端部が第３の躯体４に形成された目地プレートスライド支持部８に支持された角部目地プレート１０については、少なくとも他端部が第３の躯体４の目地プレートスライド支持部８に支持されていれば、脱落等することはないが、他端部が第１の躯体の目地プレートスライド支持部６及び第３の躯体４の目地プレートスライド支持部８に支持される方が好ましく、本実施の形態においては、他端部が第１の躯体の目地プレートスライド支持部６及び第３の躯体４の目地プレートスライド支持部８に支持されている。
【００１７】
この角部目地プレート１０は、平面視直角台形状で浅皿状の金属材製の角部目地プレート本体１７と、この角部目地プレート本体１７の目地プレート支持部７側の両端部に設けられ、第２の躯体３の目地プレート支持部７に設けられた枢支ピン１６が挿入されるピンボックス１８と、角部目地プレート本体１７内へ充填されたモルタルあるいはコンクリート１９と、このモルタルあるいはコンクリート１９の上面に貼り付けられた大理石等のタイルやレンガ等の床化粧板２０と、角部目地プレート本体１７の第１の躯体２に形成された目地プレートスライド支持部６又は前記第３の躯体４に形成された目地プレートスライド支持部８側に位置する側面にヒンジ２１を介して取り付けられたカバープレート２２とで構成されている。
【００１８】
前記側部目地プレート１１は、前記角部目地プレート１０の一側面１０ｂ（上底及び下底と直交する辺）に当接するように設けられており、平面視長方形で浅皿状の金属材製の側部目地プレート本体２３と、この側部目地プレート本体２３の目地プレート支持部７側の両端部に設けられ、第２の躯体３の目地プレート支持部７に設けられた枢支ピン１６が挿入されるピンボックス２４と、側部目地プレート本体２３内へ充填されたモルタルあるいはコンクリート２５と、このモルタルあるいはコンクリート２５の上面に貼り付けられた大理石等のタイルやレンガ等の床化粧板２６と、側部目地プレート本体２３の第１の躯体２に形成された目地プレートスライド支持部６又は前記第３の躯体４に形成された目地プレートスライド支持部８側に位置する側面にヒンジ２７を介して取り付けられたカバープレート２８とで構成されている。
【００１９】
前記被乗り上げ目地プレート１２は、前記他端部が前記第３の躯体４に形成された目地プレートスライド支持部８に支持されている角部目地プレート１０の他端部に目地プレート乗り上げ機構１４を介して当接するように設けられており、平面視長方形で角部目地プレート１０の他端部側に目地プレート乗り上げ機構１４を形成した浅皿状の金属材製の被乗り上げ目地プレート本体２９と、この被乗り上げ目地プレート本体２９の目地プレート支持部７側の両端部に設けられ、第３の躯体４の被乗り上げ目地プレート支持部９に設けられた枢支ピン１６が挿入されるピンボックス３０と、被乗り上げ目地プレート本体２９内へ充填されたモルタルあるいはコンクリート３１と、このモルタルあるいはコンクリート３１の上面に貼り付けられた大理石等のタイルやレンガ等の床化粧板３２と、被乗り上げ目地プレート本体２９の第１の躯体２に形成された目地プレートスライド支持部６側に位置する側面にヒンジ３３を介して取り付けられたカバープレート３４とで構成されている。
【００２０】
前記脱落防止機構１３は、図１０に示すように、第３の躯体４の第１の躯体２側に対向する部位の壁面であって、前記角部目地プレート１０で覆われている部位の下部位置になるべく隙間なく並列状態で設けられた複数のガイド筒３５と、この複数のガイド筒３５内にスライド移動可能に設けられ、それぞれコイルスプリング３６で、常時突出するように付勢されて第１の躯体２の壁面に押し圧され、かつ前後方向へスライド移動できるローラー３７が設けられた、地震時に生ずる隙間を覆うことができるカバー体３８とで構成されている。
【００２１】
前記ガイド筒３５は一端部が開口した断面視正方形状の金属製の筒であり、この開口に前記カバー体３８が挿入される。本実施の形態のカバー体３８も一端部が開口した金属製の筒であり、このカバー体３８の上部は前記ローラー３７を受けるためにフランジ状に左右方向に突出しており、ガイド筒３５とカバー体３８の内部に該カバー体３８を常時第１の躯体２の壁面に当接させるように、コイルスプリング３６が設けられている。
【００２２】
なお、このカバー体３８同士の間には、若干の隙間が生じるが、この隙間は前記ガイド筒３５の肉厚程度の隙間であるため、人や物が脱落するほどの隙間ではなく、地震によって第２の躯体３と第３の躯体４間の目地部５が広くなった際に前記角部目地プレート１０と被乗り上げ目地プレート１２間に生じる目地部５の開口から人や物が脱落しないように塞ぐことができるものである。
【００２３】
また、前記ガイド筒３５とカバー体３８は、地震によって目地部が最大限広がったとしても脱落しない程度の寸法で設定されているが、抜け止めのためのワイヤー４４を用いたり、突起（図示せず）を開口端部付近に形成してもよい。
【００２４】
前記目地プレート乗り上げ機構１４は、前記被乗り上げ目地プレート１２の角部目地プレート１０の他端部側に形成された鋭角状の傾斜面３９により構成されている。なお、この傾斜面３９に連続するように前記角部目地プレート１０のカバープレート２２と被乗り上げ目地プレート１２の上面がフラットになるように、カバープレート収納凹部４０を形成してもよい。
【００２５】
地震によって第１の躯体と第２の躯体間の目地部及び第１の躯体と第３の躯体間の目地部が狭くなった場合には、図１１及び図１２に示すように、角部目地プレート１０、側部目地プレート１１及び被乗り上げ目地プレート１２が第１の躯体２の目地プレートスライド支持部６の端部に形成された傾斜面１５によって上方へ回動し、その揺れ動きを吸収する。
【００２６】
地震によって第１の躯体と第２の躯体間の目地部及び第１の躯体と第３の躯体間の目地部が広くなった場合には、図１５及び図１６に示すように角部目地プレート１０、側部目地プレート１１及び被乗り上げ目地プレート１２が第１の躯体２の目地プレートスライド支持部６上をスライド移動し、その揺れ動きを吸収する。
【００２７】
地震によって第２の躯体と第３の躯体間の目地部が狭くなった場合には、図１３及び図１４に示すように、角部目地プレート１０が被乗り上げ目地プレート１２に形成された傾斜面３９（目地プレート乗り上げ機構１４）によって上方へ回動するとともに、側部目地プレート１１が第３の躯体４の目地プレートスライド支持部８の端部に形成された傾斜面１５によって上方へ回動することにより、その揺れ動きを吸収する。
【００２８】
地震によって第２の躯体と第３の躯体間の目地部が広くなった場合には、図１７及び図１８に示すように、角部目地プレート１０は第１の躯体２の目地プレートスライド支持部６及び第３の躯体４の目地プレートスライド支持部８上をスライド移動するとともに、側部目地プレート１１が第３の躯体４の目地プレートスライド支持部８上をスライド移動することにより、その揺れ動きを吸収する。
【００２９】
この時、角部目地プレート１０と被乗り上げ目地プレート１２は離間し、隙間（目地部の開口）が生じるが、この隙間を脱落防止機構１３のカバー体３８が覆うことにより、人や物が目地部に脱落することを防止することができる。
【００３０】
なお、それぞれの躯体が複雑に揺れ動き、目地部が狭くなる部位と広くなる部位等が発生しても、目地プレートや脱落防止機構により、目地部が開口することなく、かつ、躯体や目地プレート等が破損することなく地震による揺れ動きを吸収することができる。
【００３１】
また、本実施の形態では、複数のガイド筒３５と、この複数のガイド筒３５内にそれぞれ設けられたコイルスプリング３６で、常時突出するように付勢され、第１の躯体２の壁面に押し圧され、かつ前後方向へスライド移動できるローラー３７が設けられた、地震時に生ずる隙間を覆うことができるカバー体３８とで構成した脱落防止機構１３を用いたが、幅広のガイド筒を１つ用い、このガイド筒に常時突出するように付勢された幅広のカバー体を用いて脱落防止機構を構成してもよい。
【００３２】
前記ガイド筒３５は、本実施の形態ではガイド筒の３５の上面が第３の躯体４の目地プレートスライド支持部８の上面と面一になるように設置されているが、第３の躯体４に若干埋設された状態で設けられていてもよい。
【００３３】
本実施の形態において、脱落防止機構のガイド筒を第３の躯体の第１の躯体に対向する部位の壁面に設け、カバー体が第１の躯体の壁面に当接するように設けたが、第１の躯体の第３の躯体に対向する部位の壁面に複数のガイド筒を設け、カバー体が第３の躯体の壁面に当接するように設けてもよい。なお、この場合、第３の躯体が左右方向に揺れ動く幅の最大値と第１の躯体が左右方向に揺れ動く最大値を加えた幅にわたって脱落防止機構を設けることが望ましい。この場合、カバー体同士の先端部をプレート等で連結し複数のカバー体が一体となって伸縮するようにすることが望ましい。
【００３４】
[発明を実施するための異なる形態]
次に、図１９乃至図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３５】
図１９乃至図２３に示す本発明を実施するための第２の形態において、前記本発明を実施するための第１の形態と主に異なる点は、第１の躯体２の第３の躯体４に対向する部位の壁面４ａに設けられた幅広のガイド筒３５Ａと、該ガイド筒にスライド移動可能に収納された板状のカバー体３８Ａと、該カバー体３８の先端部付近の両側部に先端部が長孔４５を介してスライド移動が能に係合され、後端部が第１の躯体２の壁面２ａにヒンジ４１を介して取り付けられた支承部材４２と、該支承部材４２のヒンジ部分に設けられ、前記カバー体３８Ａが常時突出するように付勢する巻きバネ４３とで構成された脱落防止機構１３Ａを用いた点で、このような脱落防止機構１３Ａを用いた床用目地装置１Ａにしても、前記本発明を実施するための第１の形態と同様の作用効果を得ることができる。
【００３６】
なお、幅広のガイド筒３５Ａは第３の躯体の第１の躯体に対向する部位に設けてもよく、巻きバネをヒンジ部分に設けず、ガイド筒内部にコイルスプリングを設けてカバー体３８Ａを第３の躯体の壁面に当接するように付勢してもよい。
【００３７】
また、前記板状のカバー体３８Ａは、スプリング等で付勢せず、カバー体３８Ａの先端部分を平面視左右方向（図１７における左右方向）にスライド移動可能に第１の躯体の壁面に係止（例えば、第１の躯体の壁面にレールを固定し、該レールにカバー体の先端部を係止する等）しても同様の効果を得ることができ、本実施の形態のカバー板３８Ａの上面には、化粧板が固定されている。
【００３８】
なお、本発明の実施の形態では目地プレートスライド支持部および目地プレート支持部に目地プレートを設置したものについて説明したが、本発明はこれに限らず、目地プレートスライド支持部を金属材製の目地プレートスライド支持部下地材で覆ったり、目地プレート支持部を金属材製の目地プレート支持部下地材で覆ってもよく、目地プレート支持部を躯体に直接形成するものについて説明したが、躯体の端部にレール等を固定して目地プレート支持部としてもよい。
【００３９】
また、角部目地プレートは台形状の目地プレートを２つ用いるものについて説明したが、方形状の目地プレートを角部に１つのみ用いた角部目地プレートとしてもよい。この場合、側部目地プレートは、角部目地プレートの両側部にそれぞれ当接するように設けられる。
【００４０】
さらに、被乗り上げ目地プレートに傾斜面を形成し、目地プレート乗り上げ機構としたものについて説明したが、角部目地プレートの被乗り上げ目地プレート側の端部に被乗り上げ目地プレートに乗り上げられるように傾斜面を形成し、目地プレート乗り上げ機構としてもよい。
【００４１】
本発明の実施の形態では、角部目地プレートの側部に側部目地プレートをそれぞれ１つずつ配置したものについて説明しているが、目地プレートで覆うべき目地部が長い場合には、複数の側部目地プレートを用いて目地部を塞いでもよく、また、被乗り上げ目地プレートの角部目地プレートが当接していない側部にも１つ又は複数の側部目地プレートを配置してもよい。
【００４２】
本発明の実施の形態では、脱落防止機構のカバー体の先端部が常時第１の躯体の壁面又は第３の躯体の壁面のいずれかに当接しているが、第１の躯体と第３の躯体間の目地部及び第２の躯体と第３の躯体間の目地部が同時に離れる方向に揺れ動くことがない場合には、脱落防止機構のカバー体の先端部は通常時及び目地部が狭くなった時にのみ第１の躯体の壁面又は第３の躯体の壁面のいずれかに当接するものであってもよい。この場合、目地部が広くなる方向に躯体が揺れ動いた場合、脱落防止機構のカバー体の先端部が第１の躯体の壁面又は第３の躯体の壁面のいずれかから離れるが、第１の躯体と第３の躯体間の目地部及び第２の躯体と第３の躯体間の目地部が同時に離れる方向に揺れ動かなければ、目地部が開口することがなく、図１７や図１８に示すような揺れ動きをした場合には、その開口を脱落防止機構によって塞ぐことができるので、安全に使用することができる。
【産業上の利用可能性】
【００４３】
本発明は床用目地装置を製造する産業で利用される。
【符号の説明】
【００４４】
１、１Ａ：床用目地装置、            ２：第１の躯体、
３：第２の躯体、                    ４：第３の躯体、
５：目地部、                        ６：目地プレートスライド支持部、
７：目地プレート支持部、            ８：目地プレートスライド支持部、
９：被乗り上げ目地プレート支持部、  １０：角部目地プレート、
１１：側部目地プレート、            １２：被乗り上げ目地プレート、
１３、１３Ａ：脱落防止機構、        １４：目地プレート乗り上げ機構、
１５：傾斜面、                      １６：枢支ピン、
１７：角部目地プレート本体、        １８：ピンボックス、
１９：モルタルあるいはコンクリート、２０：床化粧板、
２１：ヒンジ、                      ２２：カバープレート、
２３：側部目地プレート本体、        ２４：ピンボックス、
２５：モルタルあるいはコンクリート、２６：床化粧板、
２７：ヒンジ、                      ２８：カバープレート、
２９：被乗り上げ目地プレート本体、  ３０：ピンボックス、
３１：モルタルあるいはコンクリート、３２：床化粧板、
３３：ヒンジ、                      ３４：カバープレート、
３５、３５Ａ：ガイド筒、            ３６：コイルスプリング、
３７：ローラー、                    ３８、３８Ａ：カバー体、
３９：傾斜面、                      ４０：カバープレート収納凹部、
４１：ヒンジ、                      ４２：支承部材、
４３：巻きバネ、                    ４４：ワイヤー、
４５：長孔。
【要約】      （修正有）【課題】３つの独立した躯体が地震によってどのような方向に躯体が揺れ動いても、その揺れ動きを吸収可能な床用目地装置を提供する。【解決手段】第１、第２及び第３の躯体の３つの躯体間に形成された平面視略Ｔ字状の目地部５を塞ぐ床用目地装置であって、第１の躯体２と第３の躯体間４の目地部５に設けられ、地震によって第２の躯体３と第３の躯体４間の目地部５が広くなった際に角部目地プレート１０と被乗り上げ目地プレート１２間に生じる目地部５の開口から脱落しないように塞ぐことができる脱落防止機構１３と、地震によって第２の躯体３と第３の躯体４間の目地部５が広くなった際に角部目地プレート１０が被乗り上げ目地プレート１２に乗り上げられるように設けられた目地プレート乗り上げ機構１４とよりなることを特徴とする。【選択図】図１【図１】
0006005814.tif 000002
【図２】
0006005814.tif 000003
【図３】
0006005814.tif 000004
【図４】
0006005814.tif 000005
【図５】
0006005814.tif 000006
【図６】
0006005814.tif 000007
【図７】
0006005814.tif 000008
【図８】
0006005814.tif 000009
【図９】
0006005814.tif 000010
【図１０】
0006005814.tif 000011
【図１１】
0006005814.tif 000012
【図１２】
0006005814.tif 000013
【図１３】
0006005814.tif 000014
【図１４】
0006005814.tif 000015
【図１５】
0006005814.tif 000016
【図１６】
0006005814.tif 000017
【図１７】
0006005814.tif 000018
【図１８】
0006005814.tif 000019
【図１９】
0006005814.tif 000020
【図２０】
0006005814.tif 000021
【図２１】
0006005814.tif 000022
【図２２】
0006005814.tif 000023
【図２３】
0006005814.tif 000024